(57)【要約】【課題】入力操作に係る手間を低減する。【解決手段】投票装置２は、複数のサービス機能を備えた投票装置であって、複数のサービス機能毎の使用回数を含む使用履歴を記憶媒体３から取得する取得部２ｂと、取得部２ｂが取得した使用履歴に基づいて複数のサービス機能のうちのいずれかを選択する選択部２ｃと、選択部２ｃが選択したサービス機能に応じた画面を表示させる表示制御部２ｄと、表示制御部２ｄが表示させた画面を表示する表示部２ａと、を有している。【選択図】図１
2013114299.tif 000002
【特許請求の範囲】
【請求項１】
複数のサービス機能を備えた投票装置であって、
前記複数のサービス機能毎の使用回数を含む使用履歴を記憶媒体から取得する取得部と、
前記取得部が取得した使用履歴に基づいて前記複数のサービス機能のうちのいずれかを選択する選択部と、
前記選択部が選択したサービス機能に応じた画面を表示させる表示制御部と、
前記表示制御部が表示させた画面を表示する表示部と、
を有していることを特徴とする投票装置。
【請求項２】
前記複数のサービス機能のうちのいずれかが使用されると、前記記憶媒体に格納されている使用履歴のうち、該当するサービス機能の使用回数をカウントアップする書込み部、
をさらに有していることを特徴とする請求項１記載の投票装置。
【請求項３】
前記投票装置は、キャッシュレスの投票システムに対応していること、
を特徴とする請求項１または２記載の投票装置。
【請求項４】
複数のサービス機能を有し、かつ、表示部を備えた投票装置が、
前記複数のサービス機能毎の使用回数を含む使用履歴を記憶媒体から取得し、
取得した使用履歴に基づいて前記複数のサービス機能のうちのいずれかを選択し、
選択したサービス機能に応じた画面を前記表示部に表示する、
ことを特徴とする画面の表示方法。
【発明の詳細な説明】
【技術分野】
【０００１】
本件は、投票装置、および、画面の表示方法に関する。
【背景技術】
【０００２】
例えば、競艇、競馬、競輪、および、オートレース等の公営競技では、投票手続を行う投票装置が用いられている。投票装置には、例えば、投票サービス機能の他に、投票履歴の閲覧サービス機能、ウェブページの閲覧サービス機能、および、テレビジョン放送の視聴サービス機能等の複数のサービス機能を有しているものがある。例えば、この投票装置の表示部には、複数のサービス機能のいずれかを選択するための選択画面がはじめに表示される。
【先行技術文献】
【特許文献】
【０００３】
【特許文献１】特開２０１０−６１４６６号公報
【特許文献２】特開２００２−１１７４２７号公報
【特許文献３】特開２００３−１４１２９４号公報
【特許文献４】特開２００３−６７６２２号公報
【発明の概要】
【発明が解決しようとする課題】
【０００４】
しかしながら、はじめに特定のサービス機能を選択することが多い利用者の中には、投票装置にログインする度に、希望するサービス機能を選択することを煩雑に感じているものもいる。
【０００５】
このような点に鑑み、開示の投票装置、および、画面の表示方法では、サービス機能の入力操作に係る手間を低減することを目的とする。
【課題を解決するための手段】
【０００６】
上記目的を達成するために以下のような投票装置、および、画面の表示方法が提供される。
この投票装置は、複数のサービス機能を備えた投票装置であって、複数のサービス機能毎の使用回数を含む使用履歴を記憶媒体から取得する取得部と、取得部が取得した使用履歴に基づいて複数のサービス機能のうちのいずれかを選択する選択部と、選択部が選択したサービス機能に応じた画面を表示させる表示制御部と、前記表示制御部が表示させた画面を表示する表示部と、を有している。
【０００７】
また、この画面の表示方法は、複数のサービス機能を有し、かつ、表示部を備えた投票装置が、複数のサービス機能毎の使用回数を含む使用履歴を記憶媒体から取得し、取得した使用履歴に基づいて複数のサービス機能のうちのいずれかを選択し、選択したサービス機能に応じた画面を表示部に表示する。
【発明の効果】
【０００８】
開示の投票装置、および、画面の表示方法によれば、サービス機能の入力操作に係る手間を低減することが可能となる。
【図面の簡単な説明】
【０００９】
【図１】第１の実施の形態に係る投票システムの一例を示す図である。
【図２】第２の実施の形態に係る投票システムの一例を示す図である。
【図３】第２の実施の形態に係る投票装置の外観の一例を示す図である。
【図４】第２の実施の形態に係る投票装置のハードウェアの一例を示す図である。
【図５】第２の実施の形態に係る投票システムの機能の一例を示す図である。
【図６】第２の実施の形態に係るカード情報格納部に格納されているカード情報の一例を示す図である。
【図７】第２の実施の形態に係る投票履歴格納部に格納されている投票履歴の一例を示す図である。
【図８】第２の実施の形態に係る投票画面の表示手順の一例を示すフローチャートである。
【図９】第２の実施の形態に係る投票履歴の一例を示す図である。
【図１０】第２の実施の形態に係る算出結果の一例を示す図である。
【図１１】第２の実施の形態に係る投票画面の一例を示す図である。
【発明を実施するための形態】
【００１０】
以下、実施の形態を図面を参照して説明する。
［第１の実施の形態］
図１は、第１の実施の形態に係る投票システムの一例を示す図である。
【００１１】
投票システム１は、例えば、競艇、競馬、競輪、および、オートレース等の公営競技に関するものである。投票システム１は、投票装置２と、記憶媒体３とを含んでいる。投票装置２は、投票サービス機能に加えて、他のサービス機能を有している。他のサービス機能には、例えば、投票履歴の閲覧サービス機能、ウェブページの閲覧サービス機能、および、テレビジョン放送の視聴サービス機能等がある。
【００１２】
記憶媒体３は、例えば、ＩＣ（Integrated Circuit）カードであり、サービス機能の使用履歴を格納する使用履歴格納部３ａを有している。使用履歴には、投票装置２が有しているサービス機能毎の使用回数が含まれている。
【００１３】
投票装置２は、表示部２ａと、記憶媒体３の使用履歴格納部３ａと接続される取得部２ｂと、選択部２ｃと、表示制御部２ｄとを有している。表示部２ａは、投票情報やウェブページの閲覧、テレビジョン放送等の各種情報を表示する。取得部２ｂは、使用履歴格納部３ａから使用履歴を取得する。
【００１４】
選択部２ｃは、取得部２ｂが取得した使用履歴に基づいて複数のサービス機能のうちのいずれかを選択する。例えば、選択部２ｃは、複数のサービス機能のうち、最も使用回数の多いサービス機能を選択する。表示制御部２ｄは、選択部２ｃが選択したサービス機能に応じた画面を表示部２ａに表示する。
【００１５】
次に、投票装置２による画面の表示の手順について説明する。
まず、取得部２ｂが、記憶媒体３の使用履歴格納部３ａにアクセスし、使用履歴を取得する。次に、選択部２ｃが、取得部２ｂが取得した使用履歴に基づいて複数のサービス機能のうちのいずれかを選択する。次に、表示制御部２ｄが、選択部２ｃによって選択されたサービス機能に応じた画面を表示部２ａに表示する。
【００１６】
このように、投票装置２では、サービス機能を選択しなくても、使用頻度の高いサービス機能に応じた画面が表示されるため、入力操作に係る手間を低減することが可能となる。
【００１７】
［第２の実施の形態］
次に、第２の実施の形態について説明する。
図２は、第２の実施の形態に係る投票システムの一例を示す図である。
【００１８】
投票システム１０は、例えば、競艇、競馬、競輪、および、オートレース等の公営競技に関するものである。投票システム１０は、投票装置１１ａ，１１ｂ…と、投票装置１１ａ，１１ｂ…とネットワーク１３を介して接続されたホスト装置１２とを含んでいる。
【００１９】
なお、投票システム１０は、キャッシュレスの投票サービスに対応しており、利用者には、ＩＣカード等の会員カード１４が配布されている。会員カード１４には、利用者個人を特定する会員番号等の情報が格納されている。利用者は、投票装置１１ａ，１１ｂ…を操作する際、会員カード１４を用いて投票装置１１ａ，１１ｂ…にログインする。
【００２０】
投票装置１１ａ，１１ｂ…は、投票事項の入力を受け付け、入力された投票事項に基づく投票処理をホスト装置１２に要求する。投票事項の入力は、手入力、または、投票カードによって行われる。投票カードには、マークシート形式で投票事項が記入されている。
【００２１】
また、投票装置１１ａ，１１ｂ…は、投票履歴の閲覧サービス機能、ウェブページの閲覧サービス機能、および、テレビジョン放送の視聴サービス機能を有している。ホスト装置１２は、投票処理を集中管理しており、投票装置１１ａ，１１ｂ…からの要求に応じて投票処理を実行する。
【００２２】
図３は、第２の実施の形態に係る投票装置の外観の一例を示す図である。
投票装置１１は、図２に示した投票装置１１ａ，１１ｂ…を代表している。投票装置１１の正面には、ディスプレイ２１と、タッチパネル２２と、カードリーダ２３と、投票カード挿入口２４と、レシート排出口２５と、スピーカ２６とが設けられている。
【００２３】
タッチパネル２２は、ディスプレイ２１とほぼ同じ大きさで、ディスプレイ２１の操作者側の手前側（上方）に配置されており、ディスプレイ２１に表示された画像は、タッチパネル２２を透過し、利用者に視認される。カードリーダ２３は、利用者によって翳された会員カードから無線通信により情報を読み取る。投票カード挿入口２４には、利用者によって投票カードが挿入される。レシート排出口２５からは、投票手続の明細等が印字されたレシートが排出される。
【００２４】
図４は、第２の実施の形態に係る投票装置のハードウェアの一例を示す図である。
投票装置１１は、ＣＰＵ（Central Processing Unit）３１によって装置全体が制御されている。ＣＰＵ３１には、メモリ３２と複数の周辺機器が接続されている。メモリ３２は、投票装置１１の主記憶装置として使用される。
【００２５】
メモリ３２には、ＣＰＵ３１に実行させるＯＳ（Operating System）のプログラムやアプリケーションプログラムの少なくとも一部が一時的に格納される。また、メモリ３２には、ＣＰＵ３１による処理に必要な各種情報が格納される。
【００２６】
ＣＰＵ３１に接続されている周辺機器としては、ディスプレイ２１と、タッチパネル２２と、スピーカ２６と、投票カード読取ユニット３３と、カードリーダ２３と、レシートプリンタ３４と、通信インタフェース３５とがある。
【００２７】
ディスプレイ２１は、ＣＰＵ３１からの命令に従って、画像を表示する。タッチパネル２２は、タッチによる入力を受け付け、ＣＰＵ３１に信号を送信する。スピーカ２６は、ＣＰＵ３１からの命令に従って、音声を発生する。
【００２８】
投票カード読取ユニット３３は、投票カード挿入口２４に挿入された投票カードから情報を読み取り、読み取った情報をＣＰＵ３１に送信する。カードリーダ２３は、翳された会員カードから情報を読み取り、読み取った情報をＣＰＵ３１に送信する。
【００２９】
レシートプリンタ３４は、ＣＰＵ３１からの命令に従って、レシートに印字し、印字したレシートをレシート排出口２５から排出する。通信インタフェース３５は、ネットワーク１３に接続されている。通信インタフェース３５は、ネットワーク１３を介して、他のコンピュータまたは通信機器との間で情報の送受信を行う。
【００３０】
以上のようなハードウェア構成によって、第２の実施の形態の処理機能を実現することができる。
図５は、第２の実施の形態に係る投票システムの機能の一例を示す図である。
【００３１】
会員カード１４は、カード情報格納部４５を有している。カード情報格納部４５には、利用者の会員番号、投票途中情報、投票装置１１が提供するサービス機能毎の使用回数等が格納されている。投票途中情報とは、投票処理が途中で中止された前回の投票手続の際に入力された投票事項である。
【００３２】
ホスト装置１２は、ホスト制御部４７と、投票履歴格納部４６とを有している。ホスト制御部４７は、投票装置１１から投票処理の要求を受信すると、投票処理を実行し、履歴を投票履歴格納部４６に格納する。また、ホスト制御部４７は、投票履歴格納部４６から情報を取得する。また、ホスト制御部４７は、投票装置１１との間で情報を送受信する。投票履歴格納部４６には、投票システム１０のすべての利用者の投票履歴が格納されている。
【００３３】
投票装置１１は、取得部４１と、選択部４２と、表示制御部４３と、書込み部４４とを有している。取得部４１は、会員カード１４のカード情報格納部４５から情報を取得し、取得した情報を分析する。また、取得部４１は、ホスト装置１２のホスト制御部４７との間で情報を送受信する。
【００３４】
選択部４２は、取得部４１が取得した情報に基づいて算出処理を行う。また、選択部４２は、算出結果に基づいて特定の投票事項を選択する。表示制御部４３は、投票画面をディスプレイ２１に表示する。また、表示制御部４３は、投票カード受付画面、投票履歴一覧画面、ウェブページ、および、テレビジョン放送をディスプレイ２１に表示する。書込み部４４は、情報をカード情報格納部４５に書き込む。
【００３５】
図６は、第２の実施の形態に係るカード情報格納部に格納されているカード情報の一例を示す図である。
カード情報４５ａには、利用者の会員番号（会員番号）と、投票装置１１に前回ログインした日（前回ログイン日）と、投票処理が途中で中止された前回の投票手続の際に入力された投票事項（投票途中情報）と、投票装置１１が提供するサービス機能毎の使用回数（使用回数）とが格納されている。
【００３６】
投票途中情報には、項目として、投票途中情報の有無（有無）と、場名と、レース名と、方式と、式別と、投票金額とがある。方式に関する投票事項には、「通常」、「ボックス」、および、「ながし」がある。式別に関する投票事項には、「単勝」、「２連単」、「３連単」、「複勝」、「２連複」、「３連複」、および、「拡連複」がある。投票途中情報は、投票処理が途中で中止された前回の投票手続の際に、投票装置１１の書込み部４４によって格納される。
【００３７】
使用回数は、投票装置１１が提供するサービス機能毎に格納されている。投票装置１１が提供するサービス機能には、投票カードによる投票サービス機能（投票カード）、手入力による投票サービス機能（手入力）、投票履歴の閲覧サービス機能（投票履歴）、ウェブページの閲覧サービス機能（インターネット）、および、テレビジョン放送の視聴サービス機能（テレビ）がある。各使用回数は、該当するサービス機能の使用があった際に、投票装置１１の書込み部４４によってカウントアップされる。例えば、カード情報４５ａでは、手入力の使用回数が１１回であり最も多い。
【００３８】
図７は、第２の実施の形態に係る投票履歴格納部に格納されている投票履歴の一例を示す図である。
投票履歴４６ａには、投票処理毎に、会員番号と、投票処理を受け付けた受付日時（受付日、受付時刻）と、受け付けた処理の内容（受付内容）と、レースの開催日（開催日）と、場名と、レース名と、方式と、式別と、組番と、投票金額とが格納されている。
【００３９】
次に、投票装置１１による投票画面の表示の手順について説明する。
図８は、第２の実施の形態に係る投票画面の表示手順の一例を示すフローチャートである。図８に示す処理は、例えば、利用者が会員カード１４をカードリーダ２３に翳すことで開始される。
【００４０】
［ステップＳ１１］取得部４１が、会員カード１４にアクセスしてカード情報格納部４５に格納されているカード情報を取得する。
［ステップＳ１２］取得部４１が、取得したカード情報に含まれている会員番号に基づいて、該当する投票履歴の取得を、ホスト装置１２のホスト制御部４７に要求する。これに応じて、ホスト制御部４７は、投票履歴格納部４６にアクセスして、該当する会員番号の投票履歴を抽出する。ここで、ホスト制御部４７が抽出するログの件数は、例えば、直近のログを含む１００件分までとする。そして、ホスト制御部４７は、抽出した投票履歴を取得部４１に送信する。
【００４１】
［ステップＳ１３］取得部４１が、ホスト制御部４７から投票履歴を受信する。ここで、取得部４１が取得した投票履歴の一例を示す。
図９は、第２の実施の形態に係る投票履歴の一例を示す図である。
【００４２】
投票履歴４１ａには、取得部４１が取得したカード情報に含まれている会員番号に該当するログが、１００件分含まれている。投票履歴４１ａには、会員番号と、受付日と、受付時刻と、受付内容と、開催日と、場名と、レース名と、方式と、式別と、組番と、投票金額とが格納されている。
【００４３】
［ステップＳ１４］取得部４１が、取得したカード情報に投票途中情報があるかどうかを判定する。投票途中情報がある場合（ステップＳ１４のＹＥＳ）、取得部４１は、処理をステップＳ１５に進める。投票途中情報がない場合（ステップＳ１４のＮＯ）、取得部４１は、処理をステップＳ１６に進める。
【００４４】
［ステップＳ１５］表示制御部４３が、取得部４１によって取得された投票途中情報に含まれている投票事項が入力された投票画面（投票途中画面）を、ディスプレイ２１に表示して処理を終了する。
【００４５】
［ステップＳ１６］取得部４１が、取得したカード情報の使用回数を参照し、最も使用回数の多いサービス機能（高頻度使用機能）を検出する。
［ステップＳ１７］取得部４１が、検出した高頻度使用機能が、手入力であるかどうかを判定する。手入力である場合（ステップＳ１７のＹＥＳ）、取得部４１は、処理をステップＳ１９に進める。手入力ではない場合（ステップＳ１７のＮＯ）、取得部４１は、処理をステップＳ１８に進める。
【００４６】
［ステップＳ１８］表示制御部４３が、取得部４１によって検出された高頻度使用機能に応じた画面をディスプレイ２１に表示して処理を終了する。例えば、取得部４１が検出した高頻度使用機能が、テレビである場合、表示制御部４３は、テレビジョン放送をディスプレイ２１に表示する。
【００４７】
［ステップＳ１９］選択部４２が、取得部４１によって取得された投票履歴に基づいて、場名、方式、および、式別の各投票項目に対して、設定されている投票事項それぞれの選択回数を算出する。ここで、選択部４２が算出した算出結果の一例を示す。
【００４８】
図１０は、第２の実施の形態に係る算出結果の一例を示す図である。
算出結果４２ａは、場名に関して「唐津」が最も選択回数が多く、方式に関して「通常」が最も選択回数が多く、式別に関して「２連複」が最も選択回数が多いことを示している。
【００４９】
［ステップＳ２０］選択部４２が、算出結果に基づいて、場名、方式、および、式別の各投票項目に対して、選択回数の最も多い投票事項を選択する。例えば、算出結果が、図１０に示す算出結果４２ａの場合、選択部４２は、場名に関して「唐津」、方式に関して「通常」、式別に関して「２連複」をそれぞれ選択する。
【００５０】
［ステップＳ２１］表示制御部４３が、選択部４２によって選択された投票事項が入力された投票画面をディスプレイ２１に表示して処理を終了する。
次に、表示制御部４３がディスプレイ２１に表示する投票画面の一例について説明する。
【００５１】
図１１は、第２の実施の形態に係る投票画面の一例を示す図である。
投票画面５０は、予め、場名に「丸亀」が入力され、方式に「通常」が入力され、式別に「３連単」が入力されたものである。投票画面５０は、対象レース表示画面５１と、式別選択画面５２と、方式選択画面５３と、ながし指定画面５４と、組番選択画面５５と、金額表示画面５６とを含んでいる。
【００５２】
対象レース表示画面５１には、選択中のレースの場名、レース名、および、開始時刻が表示されている。ここでは、場名として「丸亀」が表示されている。式別選択画面５２には、式別に設定されている複数の投票事項が表示され、このうち、選択中の投票事項がハイライト表示される。ここでは、「３連単」がハイライト表示されている。
【００５３】
方式選択画面５３には、方式に設定されている複数の投票事項が表示され、このうち、選択中の投票事項がハイライト表示される。ここでは、「通常」がハイライト表示されている。組番選択画面５５には、選択中のレース、式別、方式等に対応した組番選択表と、複数の選択ボタン５５ａとが表示される。金額表示画面５６には、投票金額に関する情報と、金額入力ボタン５６ａ、および、購入ボタン５６ｂとが表示される。
【００５４】
以上説明してきたように、投票装置１１は、個人の投票履歴に基づいて、場名、方式、および、式別の各投票項目に設定されている複数の投票事項のそれぞれについて選択回数を算出し、算出結果に基づいて複数の投票事項のうちのいずれかを選択する。そして、投票装置１１は、選択した投票事項が入力された投票画面をディスプレイ２１に表示する。
【００５５】
これにより、投票装置１１では、個々の利用者に合わせて、入力頻度の高い投票事項が予め入力された投票画面を表示することが可能となるため、入力操作に係る手間を低減することができ、ファンの投票時間も短くなるため、混雑が緩和され、売上も増加する。
【００５６】
また、投票装置１１は、カード情報に投票途中情報が含まれている場合、投票途中情報に含まれている投票事項が入力された投票画面をディスプレイ２１に表示する。これにより、利用者は、前回途中で中止した投票手続を、入力済みの投票事項を改めて入力することなく継続して行うことが可能となる。
【００５７】
また、投票装置１１では、サービス機能を選択しなくても、使用頻度の高いサービス機能に応じた画面が表示されるため、入力操作に係る手間を低減することが可能となる。
また、投票装置１１では、会員カードに格納されたサービス機能毎の使用回数に基づいてサービス機能の選択を行っているため、例えば、使用履歴に基づいて使用頻度を算出するような処理を行う場合と比べて、ＣＰＵ３１にかかる負荷を低減することが可能となる。
【００５８】
また、会員カードにはサービス機能毎の使用回数を格納しておけばよいので、例えば、使用履歴を格納しておく場合と比べて、会員カードに格納される情報のサイズを低減することが可能となる。
【００５９】
なお、上記の処理機能は、コンピュータによって実現することができる。その場合、投票装置１１が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ（Random Access Memory）、ＣＤ−ＲＯＭ（Compact Disc Read Only Memory）／ＲＷ（ReWritable）などがある。光磁気記録媒体には、ＭＯ（Magneto-Optical disk）などがある。
【００６０】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６１】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【００６２】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【符号の説明】
【００６３】
１，１０  投票システム
２，１１，１１ａ，１１ｂ  投票装置
２ａ  表示部
２ｂ，４１  取得部
２ｃ，４２  選択部
２ｄ，４３  表示制御部
３  記憶媒体
３ａ  使用履歴格納部
１２  ホスト装置
１３  ネットワーク
１４  会員カード
４４  書込み部
４５  カード情報格納部
４６  投票履歴格納部
４７  ホスト制御部
【図１】
2013114299.tif 000003
【図２】
2013114299.tif 000004
【図３】
2013114299.tif 000005
【図４】
2013114299.tif 000006
【図５】
2013114299.tif 000007
【図６】
2013114299.tif 000008
【図７】
2013114299.tif 000009
【図８】
2013114299.tif 000010
【図９】
2013114299.tif 000011
【図１０】
2013114299.tif 000012
【図１１】
2013114299.tif 000013